(57)【要約】【課題】一列に配列された複数個の電気機器の何れかの交換作業や別の電気機器の増設作業を容易に行うことができるようにする。【解決手段】表示灯装置１０に、本体１、表示灯２、取付金具３、取付ネジ４を設けた。所定個数の表示灯２を収納した本体１をパネル１００の開口部１０１に前面側から貫通させ、パネル１００の背面側で本体１の一端部から溝部５に取付金具３を挿入し、本体１の長手方向における任意の位置に配置する。取付金具３のネジ部に取付ネジ４を螺合させてパネル１００の背面側から前面側に向けて締め込んでいくと、ネジ部４１の先端がパネル１００の背面に当接する。ネジ部４１の先端と、本体１のフランジ１４，１５との間にパネル１００を挟持させる。【選択図】図２
2008289264.tif 000002
【特許請求の範囲】
【請求項１】
少なくとも１つの電気機器を一列に配列して収納する電気機器装置であって、
前面が開放するとともに収納すべき電気機器の断面形状に略一致する一定の断面形状に一体的に形成された長尺体を電気機器の収納個数に応じた長さにして構成された本体であって、電気機器のそれぞれが個別に前面側から着脱自在に収納される本体と、
【請求項２】
前記本体は、背面に前記収納個数に応じた数の少なくとも１種類の孔部を備え、
電気機器のそれぞれは、前記孔部に前面側から係合して収納される請求項１に記載の電気機器装置。
【請求項３】
前記本体は、上面及び底面に全長にわたって一定の断面形状を呈する溝部を有する請求項１又は２に記載の電気機器装置。
【請求項４】
前記本体の両端部から前記溝部に挿入される取付金具であって、取付ネジが螺合するネジ孔を有する取付金具をさらに備えた請求項３に記載の電気機器装置。
【発明の詳細な説明】
【技術分野】
【０００１】
この発明は、表示灯等の少なくとも１個の電気機器を一列に配列して収納した電気機器装置に関する。
【背景技術】
【０００２】
表示灯等の電気機器は、複数個が一列に配列された状態で工場設備としての制御盤等のパネルに取り付けられる場合がある。複数個の電気機器をパネルに取り付ける構造として、複数個の電気機器を一列に配列して収納する中間枠体と、複数の中間枠体が嵌合する外側枠体とを備えたものがある(例えば、特許文献１参照。）。
【０００３】
ところが、この構成では、一列に配列すべき電気機器の個数に応じて多数種の中間枠体を準備する必要がある。
【０００４】
そこで、例えば金属板を素材とする長尺状の部材を押し出し成形等によって形成し、この部材を所定の長さに切断した２対（合計４本）の枠体で、一列に配列された複数個の電気機器の周囲を包囲するようにしたものがある。各枠体は、両端部で直交する他の枠体と結合される。
【特許文献１】実開平０４−３４８０９号公報
【発明の開示】
【発明が解決しようとする課題】
【０００５】
しかしながら、４本の枠体で一列に配列された複数個の電気機器の周囲を包囲する構成では、パネルに取り付けられた複数個の電気機器の何れかを、故障や使用状況の変化に応じて交換する作業が煩雑化する問題がある。即ち、１個の電気機器を交換する場合でも、枠体で包囲された複数個の電気機器の全てをパネルから取り外した後に枠体を分解しなければならない。
【０００６】
また、パネルに取り付けられることなく使用される電気機器装置でも、所定個数の電気機器を一列に配列して組み立てた後に、別の電気機器を追加するためには、枠体を一旦分解して全ての部品を取り外す必要があり、作業が煩雑になる。
【０００７】
この発明の目的は、電気機器を前面側から着脱できる一定の断面形状を呈する長尺状の部材を形成した後、収納すべき電気機器の個数に応じた長さにすることで、一列に配列された複数個の電気機器の何れかの交換作業や別の電気機器の増設作業を容易に行うことができる電気機器装置を提供することにある。
【課題を解決するための手段】
【０００８】
この発明のパネル用機器の取付構造は、本体を備えている。本体は、前面が開放するとともに収納すべき電気機器の断面形状に略一致する一定の断面形状に一体的に形成された長尺体を電気機器の収納個数に応じた長さにして構成されており、電気機器のそれぞれが個別に前面側から着脱自在に収納される。
【０００９】
この構成では、電気機器を前面側から収納可能な断面形状の長尺体を電気機器の収納個数に応じた長さにした本体に、必要個数の電気機器が収納される。
【００１０】
少なくとも１個の電気機器が前面側から着脱自在にして本体に収納されるため、本体に収納された複数個の電気機器の何れか１個は、他の電気機器を本体から取り外すことなく本体に着脱される。本体は、一定の断面形状を呈する長尺体を所定の長さにして構成されており、連結や切断によって電気機器の収納個数の増減が可能になる。
【００１１】
この構成において、本体の背面に電気機器の収納個数に応じた数の少なくとも１種類の孔部を設け、この孔部に各電気機器を前面側から係合させて収納するようにしてもよい。単一又は複数個の電気機器のそれぞれを本体に対して前面側から着脱自在に収納することができる。
【００１２】
また、本体の上面及び底面に全長にわたって一定の断面形状を呈する溝部を設けてもよい。溝部に嵌入する取付金具等の別部品を本体の長手方向における任意の位置に配置させることができる。
【発明の効果】
【００１３】
この発明によれば、電気機器を前面側から着脱できる一定の断面形状を呈する長尺状の部材を形成した後、収納すべき電気機器の個数に応じた長さに切断することで、一列に配列された複数個の電気機器の何れかの交換作業や別の電気機器の増設作業を容易に行うことができる。
【発明を実施するための最良の形態】
【００１４】
図１は、この発明の実施形態に係る電気機器装置の一例である表示灯装置を示す分解斜視図である。図１に示す表示灯装置１０は、制御盤等のパネルに電気機器としての表示灯２を取り付ける際に使用される。図１中のＸ軸、Ｙ軸及びＺ軸は互いに直交する方向である。Ｘ軸方向はパネルの厚さ方向であって表示灯装置１０の前後方向であり、Ｙ軸方向は表示灯装置１０の左右方向であり、Ｚ軸方向は表示灯装置１０の上下方向である。
【００１５】
表示灯装置１０は、本体１、表示灯２、取付金具３、取付ネジ４、中間部材６、端部カバー７を備えている。
【００１６】
本体１は、一例としてアルミニウムを素材として押出加工によって長尺状に形成された後、適宜必要な長さに切断される。図１に示す例では、３個の表示灯２を収納できる長さに切断されている。本体１には、３個の開口部１１、１２個の取付孔（孔部）１２が打ち抜き加工等によって設けられる。本体１の上面及び底面の前端部には、上方及び下方に延出したフランジ部１４，１５が形成されている。また、上面及び底面には、本体１の全長にわたって一定断面形状の溝部５が形成されている。本体１は、充分な強度を備えることを条件として、樹脂を素材として形成することもできる。
【００１７】
３個の表示灯２のそれぞれは、一例として内部に光源としての単一または複数のＬＥＤを収納している。表示灯２の背面には、上端部及び下端部のそれぞれ２箇所の合計４箇所に、上下方向に弾性変形する爪２１が形成されている。各表示灯３は、本体１の前面側から本体１内に収納され、各爪２１が各取付孔１２に弾性的に係合することで本体１に固定される。
【００１８】
中間部材６は、３個の表示灯２のそれぞれの間に配置され、隣接する２個の表示灯２を連結する。２個の中間部材６は、３個の表示灯２とともに、本体１内に収納される。
【００１９】
端部カバー７は、３個の表示灯２及び２個の中間部材６を収納した本体１の左右の端部に装着される。端部カバー７は、上下対称形状に成型されている。同一形状の２個の端部カバー７のそれぞれが、本体１の両端のそれぞれに装着される。端部カバー７を本体１の左右の端部に装着することで、両端部に位置する表示灯２の側面が被覆される。
【００２０】
取付金具３は、一例としてＳＵＳ３１０等の金属板を素材とするプレス加工により、垂直面の支持部３１を有する形状に成型されている。支持部３１には、ネジ孔３２が形成されている。取付金具３は、本体１の一方の端部から溝部５内に挿入され、本体１の長手方向の任意の位置に配置される。
【００２１】
取付ネジ４は、ネジ部４１と頭部４２とからなる。ネジ部４１は、表示灯装置１０の背面側から、取付金具３のネジ孔３２に螺合する。頭部４２は、取付金具３の支持部３１の背面に当接する。
【００２２】
図２（Ａ）及び（Ｂ）は、上記表示灯装置のパネルへの取付状態を示す断面図である。表示等装置１０をパネル１００に取り付ける際には、図２（Ａ）に示すように、先ず、表示灯２を収納した本体１の背面側をパネル１００の開口部１０１に、パネル１００の前面側から貫通させる。次いで、パネル１００の背面側で、上下の溝部５に本体１の一方の端部側から取付金具３を挿入し、本体１の長手方向（図１中のＹ軸方向）における任意の位置に配置する。この後、２本の取付ネジ４のそれぞれのネジ部４１を、取付金具３のネジ孔３２に螺合させる。
【００２３】
図２（Ｂ）に示すように、ネジ孔３２に螺合した２本の取付ネジ４をパネル１００の背面側から前面側に向けて締め込んでいくと、ネジ部４１の先端がパネル１００に向かって移動し、パネル１００の背面に当接する。
【００２４】
ネジ孔３２に対する取付ネジ４の締結力は、本体１をパネル１００の背面側に向けて付勢するとともに、取付ネジ４をパネル１００の前面側に向けて付勢する。この締結力によってネジ部３２の先端は、本体１のフランジ１４，１５との間にパネル１００における開口部１０１の周縁部を挟持し、本体１がパネル１００に固定される。
【００２５】
複数個の表示灯２は、本体１に対して前面側から着脱自在にされている。表示灯装置１０をパネル１００に取り付けた状態で、故障を生じた場合や使用形態の変化に対応すべく、本体１に収納されている複数個の表示灯２の何れかを本体１から取り外す場合に、表示灯装置１０をパネルから取り外す必要がなく、交換作業を容易に行うことができる。
【００２６】
取付金具３は、本体１の溝部５に嵌入し、本体１に対してＸ軸方向に移動することがない。このため、本体１のＸ軸方向の奥行きを取付金具３の移動量を考慮して設定する必要がなく、本体１を薄型に構成できる。
【００２７】
また、取付金具３は本体１の長手方向（図１中のＹ軸方向）の任意の位置に配置できるため、上下に隣接する表示灯装置１０のそれぞれの取付金具３を互いに干渉しない位置に配置させることで、複数の表示灯放置１０を上下方向に近接させて配置できる。
【００２８】
図３（Ａ）及び（Ｂ）は、上記表示灯装置の使用例を示す斜視図である。図３（Ａ）に示すように、本体１の一端部から溝部５に連結具７１の一部を露出させて挿入し、連結具７１の露出した部分を別の本体１の溝部５に挿入することで、２つの本体１を連結することができる。所定個数の表示灯２を収納した表示灯装置１０に別の表示灯２等の電気機器を増設する場合に、２個の本体１を容易に連結することができる。
【００２９】
また、本体１に収納された表示灯２の背面の端子部は、本体１の背面に形成されている開口部１１からパネル１００の背面側に露出する。そこで、図３（Ｂ）に示すように、本体１の上下の溝部５に上下から嵌入する突起８１，８２を備えたカバー８を装着することで、開口部１１の初面側を被覆し、表示灯２の端子部を保護するようにしてもよい。
【００３０】
なお、本体１の溝部５の形状は、例えば図４（Ａ）〜（Ｃ）に示すように、取付金具３が本体１に対してＸ軸方向に移動することがなく、本体１の長手方向に一定の断面形状であることを条件として、種々の形状にすることができる。
【００３１】
図５（Ａ）〜（Ｃ）は、上記表示灯装置の別の使用例を示す断面図である。図５（Ａ）に示すように、２個の表示灯装置１０の本体１のそれぞれの溝部５に係合する連結部材８１を用いて、複数個の表示灯装置１０を上下に接続することができる。また、図５（Ｂ）に示すように、連結部材８２を用いて、２個の表示灯装置１０を互いに背面を接触させた状態で固定することができる。さらに、図５（Ｃ）に示すように、取付金具８３を用いて表示灯装置１０を壁面に取り付けることもできる。
【００３２】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００３３】
【図１】この発明の実施形態に係るパネル用機器の取付構造の一例を示す分解斜視図である。
【図２】（Ａ）及び（Ｂ）は、同表示灯装置のパネルへの取付状態を示す断面図である。
【図３】（Ａ）及び（Ｂ）は、同表示灯装置の使用例を示す斜視図である。
【図４】（Ａ）〜（Ｃ）は、この発明の別の実施形態に係る電気機器装置の溝部及び取付金具の形状を示す断面図である。
【図５】（Ａ）〜（Ｃ）は、この発明の実施形態に係る電気機器装置の別の使用例を示す図である。
【符号の説明】
【００３４】
１  本体
２  表示灯
３  取付金具
４  取付ネジ
５  溝部
１０  表示灯装置
３１  ネジ孔
４１  ネジ部
４２  頭部
【図１】
2008289264.tif 000003
【図２】
2008289264.tif 000004
【図３】
2008289264.tif 000005
【図４】
2008289264.tif 000006
【図５】
2008289264.tif 000007